(57)【要約】【課題】個性に合った就職先に適時、適切に就職するのに用いて有用な就職活動必須セットを提供する。【解決手段】就職活動を総合的に案内、支援する就職活動支援ガイドブック冊子と、履歴書及び封筒のセット体とをセット化して成ることを特徴とする就職活動必須セット。セット化は、ガイドブックに履歴書セットを付録した本とするか、又は、ガイド冊子と履歴書セットを併合した文具とする。【選択図】　　　図１
0003098467.tif 000002
【実用新案登録請求の範囲】
【請求項１】
就職活動を総合的に案内、支援する就職活動支援ガイド冊子と、履歴書及び封筒のセット体とをセット化して成ることを特徴とする就職活動必須セット。
【請求項２】
請求項１に記載の就職活動必須セットにおいて、前記セット化は、前記冊子をガイドブックとし、それに履歴書及び封筒のセット体を付録させたものであることを特徴とする就職活動必須セット。
【請求項３】
請求項１に記載の就職活動必須セットにおいて、前記セット化は、前記冊子と履歴書及び封筒のセット体とを同封ないし併合したものであることを特徴とする就職活動必須セット。
【請求項４】
請求項１に記載の就職活動必須セットにおいて、前記冊子は、前記履歴書サイズより大きなサイズのガイドブックとされ、
巻頭目次欄には、就職情報の獲得マニュアルと、履歴書の書き方と、面接の受け方の３コラムを定形化して形成し、
前記履歴書の書き方のコラムには、定形見本を示した上で、新卒又は転職或いはパートアルバイト別で、かつ求人ジャンル別の案内ページを示し、
前記面接の受け方では、応募のコツ、話し方、その他の面接のポイントについての案内ページを示したものであることを特徴とする就職活動必須セット。
【請求項５】
請求項３に記載の就職活動必須セットにおいて、前記冊子は前記履歴書サイズより大きなサイズのガイドブックとされ、
巻頭目次欄には、各地域の就職情報の獲得マニュアルと、履歴書の書き方と、面接の受け方の３コラムを定形化して形成し、
前記就職情報の獲得マニュアルのコラムには、対象地域のハローワークの連絡先を示すページと、地域求人情報誌の紹介を示すページと、インターネット上での求人情報を案内するページと、各自治体の就職相談窓口を紹介するページと、人材派遣企業のリストを示すページ及び主な職業訓練校のリストを示すページとを順次示し、
前記履歴書の書き方のコラムには、定形見本を示した上で、新卒又は転職或いはパートアルバイト別で、かつ求人ジャンル別の案内ページを示し、
前記面接の受け方では、応募のコツ、話し方、その他の面接のポイントについての案内ページを示し、
各コラムで定形化された項目に従って、各地域毎の情報を導入して地域別紙を形成したことを特徴とする就職活動必須セット。
【考案の詳細な説明】
【０００１】
【考案の属する技術分野】
本考案は、就職活動を総合的に案内支援する就職活動支援ガイド冊子と、履歴書並びに封筒をセット化して成る就職活動必須セットに関する。
【０００２】
【従来の技術】
従来の就職活動を支援する商品又はサービスとしては、ハローワーク、求人情報誌、インターネット上での求人情報、各自治体の就職相談窓口、人材派遣企業、職業訓練校、履歴書及び封筒、就職ガイドブック等の例がある。
【０００３】
履歴書及び封筒をセット化した商品の中には、一通りの履歴書の書き方を説明した用紙を同封したものも販売されている。
【０００４】
ハローワークは、国民の完全就職化を図り、求人及び求職の縁結びを行う上で最も重要な機関である。求人情報誌、インターネット上での求人情報もよく利用されている。その他の商品、サービスも相応に重要な役目を担っている。
【０００５】
一方、近年の就職活動では、就職を単なる賃金を得るための仕事と考えず、自己のアイデンティティー（ｇｅｔ　ａ　ｐｏｓｉｔｉｏｎ）と考え、より多くの情報の中で、もっとも自己に適した職業を選択する傾向にある。
【０００６】
これら自己のアイデンティティーの確立を求める就職活動にあっては、各サービスを尋ねて回る必要性が生じ、そこで迷ってしまう事態が生じ得る。ハローワークは当然として、どの求人情報を見るかにしても、いつ、どこで、どの求人情報誌を得るかが問題となる。各求人情報は、適時、適宜の媒体でテイクアウトされており、これを適切に得ることがまず第１の課題となる。
【０００７】
一方、獲得した求人情報に対し、面接するとき、その難しさに遭遇する。加えて履歴書の書き方１つにしてもスキルに応じて検討しなければならない。
【０００８】
就職活動において履歴書の書き方は重要である。登録実用新案第３０６０５３６号公報（履歴書）では、パートやアルバイトに対し、勤労を希望する期間、開始日、曜日及び時間等を記入する欄を設ける例が示されている。登録実用新案第３０７７３３９号公報では、履歴書を見る者に対して強く印象づけるべく、各種欄の全部又は１部を着色することが示されている。特許公開平７−１３７４８６号公報では、個人情報を安全に管理するために公表に支障の生じる部分を隠れる面に配設する例が示されている。
【０００９】
しかしながら、このように、従来の就職活動を支持する商品及びサービスにあっては、個々に、それぞれ相応の支援をしているが、全体部分をまとめ上げた総合支援に欠けていた。
【００１０】
【特許文献１】
登録実用新案第３０６０５３６号公報、第１頁、図１
【００１１】
【特許文献２】
登録実用新案第３０７７３３９号公報、第１頁、図１
【００１２】
【特許文献３】
特許公開平７−１３７４８６号公報、第１頁、図１
【００１３】
【考案が解決しようとする課題】
従来の就職活動を支援する商品及びサービスは、個別には相応支援しているが、総合支援に欠けていた。
【００１４】
そこで、本考案は、就職活動において最も重要な情報はスキルを理解した上での総合支援であることに鑑みて、これら欠落部分を充足し、新卒、就職、パートアルバイトを含めて、就職活動を総合的に案内、支援することができる就職活動必須セットを提供することを目的とする。
【００１５】
【課題を解決するための手段】
上記課題を解決することができる本考案の就職活動必須セットは、就職活動を総合的に案内、支援する就職活動支援ガイドブック冊子と、履歴書及び封筒のセット体とをセット化して成ることを特徴とする。
【００１６】
本考案の就職活動を総合的に案内、支援する就職活動支援ガイド冊子は、それ自体本考案で新規に創案されたもので、就職活動をしようとする者、即ち就職、転職を希望する者が、まず第１に要求する事項を考慮して、これを総合的に案内するものである。即ち、１つの求人情報を案内するもではなく、求人情報の全体概要を示し、就職を円滑に案内、支援できる内容とする。
【００１７】
前記セット化は、前記冊子をガイドブックとし、それに履歴書及び封筒のセット体を付録させることができる。又は、前記冊子と履歴書及び封筒のセット体とを同封ないし併合したものとすることができる。
【００１８】
ガイドブックに履歴書セット体を付録する形では、ガイドブックにウエイトを置き、２０〜５０ページの構成とする。逆に、履歴書セットにガイド冊子を同封ないし、併合（相互に付録化）させる形では、本ガイド冊子は、単に履歴書の書き方のみを示すものではないので、７〜２０ページ程度の比較的薄い冊子とされ、効率良く案内、支援する。
【００１９】
本考案の就職活動を案内、支援する就職活動支援ガイドブックの巻頭目次欄には、就職情報の獲得マニュアルと、履歴書の書き方と、面接の受け方の３コラムを定形化して形成し、
前記履歴書の書き方のコラムには、定形見本を示した上で、新卒又は転職或いはパートアルバイト別で、かつ求人ジャンル別の案内ページを示し、
前記面接の受け方では、応募のコツ、話し方、その他の面接のポイントについての案内ページを示し、
前記定形見本として示したものと同一履歴書複数枚と封筒と一体化させたことを特徴とする。
【００２０】
また、巻頭目次欄には、各地域の就職情報の獲得マニュアルと、履歴書の書き方と、面接の受け方の３コラムを定形化して形成し、
前記就職情報の獲得マニュアルのコラムには、対象地域全てのハローワークの連絡先を示すページと、地域求人情報誌の紹介を示すページと、インターネット上での求人情報を案内するページと、各自治体の就職相談窓口を紹介するページと、人材派遣企業のリストを示すページ及び主な職業訓練校のリストを示すページとを順次示し、
前記履歴書の書き方のコラムには、定形見本を示した上で、新卒又は転職或いはパートアルバイト別で、かつ求人ジャンル別の案内ページを示し、
前記面接の受け方では、応募のコツ、話し方、その他の面接のポイントについての案内ページを示し、
各コラムで定形化された項目に従って、各地域毎の情報を導入して地域別紙を形成したことを特徴とする。
【００２１】
就職活動は、あくまで求職者自らが行うもので、各種求人情報を自ら探索し、履歴書を書き、面接し、その合否に従うものである。求人情報は、必ずしも全てがハローワークに集約されておらず、民間求人情報に分散されている。個人のアイデンティティー確立のためには、可能な範囲で一通りの全体像を示すのがベターである。また、求職は一時的に発生するので、求職者にはそのとき即座に相応の知識が必要となる。履歴書の書き方、面接の受け方がそれである。
【００２２】
本発明では、従来の案内システムの欠落部分を補い、新卒、転職、パート、アルバイトを含めて、地域別の求職活動を総合的に案内し、適材適所の円滑就職システムを完成することができる。地域毎のガイドブックを全国展開することにより、各地域に即した情報誌とすることもできる。
【００２３】
本考案の就職活動支援ガイド冊子又はブックの巻頭目次欄には、就職活動の獲得マニュアル（第１コラム）と、履歴書の書き方（第２コラム）と、面接の受け方（第３コラム）の３コラムが設けられている。付録的な追加コラムを適宜に設けることも可能である。
【００２４】
前記第１コラムには、対象とする地域全てのハローワークの連絡先を示すページと、地域求人情報誌の紹介を示すページと、インターネット上での求人情報を案内するページと、各自治体の転職相談窓口を紹介するページと、人材派遣企業のリストを示すページ及び主な職業訓練校のリストを示すページとを順次示されている。これらにより求人情報を略１００％網羅し、案内できる。求職者は、当該コラムを見て目次を辿ることになるので、第１コラムには、これら項目を銘記することが必要である。
【００２５】
次に、第２コラムには、定形見本を示した上で、新卒又は転職或いはパートアルバイト別で、かつ求人ジャンル別の案内ページを示されている。従来例でも示したように、履歴書の記載方式自体も重要項目であり、これは定形見本で示している。
【００２６】
前記第３コラムでは、応募のコツ、話し方、その他の面接のポイントについての案内ページを示している。従って、求職者は、該当ページのノウハウを学ぶことにより、即座に面接に対応することができる。このページには、一般的な面接方式に加え、地域特有のしきたりを説明することができる。
【００２７】
前記３コラムで定形化された項目に従って、各ページに各地域毎の情報を投入して、保存版情報誌を作ることができる。即ち、本誌は、求人情報そのものを示すものではなく、求人誌を紹介する形のものであるので、数ヶ月〜１年に一度の更新で十分である。
【００２８】
【考案の実施の形態】
以下、添付図面を参照して、本考案の実施の形態を説明する。
【００２９】
本考案は、履歴書及び封筒のセット体（履歴書セット体）を、就職活動を総合的に案内、支援するガイドブックに付録させる場合と、前記セット体を前記ガイドブックの内容をコンパクトにまとめたガイド冊子に併合させた形に分けて示すことができる。そこで、以下、本考案をまず前者の例を挙げて示し、次いで、その中で後者の併合について示す。
【００３０】
図１は、本考案の一実施形態に係る就職活動必須セットＳＥＴ−１の概要を示す斜視図で、就職活動支援ガイドブック１の表の表紙２を開き、表表紙２の内側部分を正面として、その右方に綴じ込み紙３の先頭ページ（第１ページ）が見開かれた状態で示している。綴じ込み紙３は、前記表表紙２と裏表紙４との間に配置され、裏表紙４と綴じ込み紙３との間には、各種セット化方式に従って履歴書セット体５が付録される。本就職活動支援ガイドブック１は、左開きの例で示している。
【００３１】
図１に示すように、本就職活動支援ガイドブック１の、表表紙の裏面には、内容開示のために、第１、第２、第３の３コラム６、７、８に分けて、目次が表示されている。本を閉じた状態で店頭に配置販売される。全体で就職活動必須セットＳＥＴ−１とも称する。
【００３２】
各コラムについて順次示すと、上から順で第１コラム６には、例えば対象地域全てのハローワークの連絡先を示すページと、地域求人情報誌の紹介を示すページと、インターネット上での求人情報を案内するページと、各自治体の就職相談窓口を紹介するページと、人材派遣企業のリスト及び主な職業訓練校のリストを示すページが示されている。要は、就職活動を総合的に案内、支援するための情報とすることが必要である。
【００３３】
本実施形態での対象地域は、各県又は四国、九州、北海道、沖縄、東北、奥羽、関東（東京、東西南北）、中部、関西（大阪、東西北）山陽、山陰等大まかに分類できるが、各分類地域は相互に交錯させた状態でも良い。即ち、本ガイドブック１は、各個人が自分の回りの就職可能な地域を対象として情報検索するものであるので、本ガイドブック１に情報投入する編集員を中心として、その回りで他の編集員と相互に連絡しつつ最適地域を定めれば良い。コンビニエンスストア等で容易に販売できる情報誌としての大きさ、内容等の関係から、対象地域の大きさは、凡そ人口５００〜１０００万人を１地域とするのが相当である。
【００３４】
前記第２コラム７には、図２及び図３に示す定形見本９を示した上で、新卒又は転職或いはパートアルバイト別で、かつ求人ジャンル別の案内ページが示されている。
【００３５】
図２及び図３に定形見本として示す履歴書９（９Ｌ、９Ｒ）は、各ジャンルで広範囲に使用できることを目的として作られたＢ４サイズの履歴書で、図２には左半分９Ｌが、図３には右半分９Ｒが示されている。図示の通り、左半分９Ｌの学歴・転職記入欄は、破線による罫線を用いて簡素に形成され、自由に記載できるようになっている。右半分９Ｒの上部には志望動機に次いで自己ＰＲ欄が設けられ、ここに、自己ＰＲを記載できるようになっている。個人のアイデンティティーの確立を目的とする就職にあっては、この自己ＰＲの記載が必須である。転職の場合、年月記入が困難となることがある。このため、ガイドブック１の裏表紙の裏側には、生年月日に応じた学校入学及び卒業の年月の早見表が設けられている。
【００３６】
前記第３コラムには、新卒又は転職あるいはパートアルバイト別で、かつ求人ジャンル別に、応募アプローチのコツ、面接実践編から、礼のし方、座り方、話し方、面接で聞かれる質問及び好印象を与えるポイント、就職が決まったらすること、円満退社とスムーズ入社、前記入学、卒業年月早見表等の記載ページが示されている。
【００３７】
綴じ込み紙３の第１ページには、以上に示したコラム６、７、８に示すページを案内すべく、情報、履歴書、面接の文字が示され、成功への道と文字の書かれた矢印に従って、各コラム６、７、８に記載されたページへ順次案内するようになっている。
【００３８】
綴じ込み誌では、順次各コラム６、７、８に示した順序に従って、それぞれの詳細が示されている。２ページ以降のハローワークの案内では、ハローワークは、求人情報の元祖であり、全国の情報が手に入る有為性を示して、各ハローワークの所在と、住所、電話番号と、その利用方法（職業相談、職業紹介、求人情報の提供、雇用保険の給付、その他のサービス）が示されている。
【００３９】
求人情報の紹介では、各地域内の主な就職情報誌が網羅される。因みに、四国版において、愛媛県では１１社、香川県では１２社、高知県では５社、徳島県では４社の求人情報誌が紹介される。紹介内容は、発行週、月、住所、発行場所、主催等である。
【００４０】
インターネット上での求人情報の案内では、概要と、求人に関する各社のサイトが転職向けのものと、新卒、転職向けのものとに分けて、紹介される。
【００４１】
各自治体の就職相談窓口の案内では、社会福祉協議会を先頭に、具体的な就職相談窓口と、トラブル相談窓口が紹介される。
【００４２】
人材派遣と職業訓練校の紹介では、スキルアップを目的として本当に自分に合った仕事を見つけたい人のために、主な人材派遣企業リストと職業訓練校が紹介される。
【００４３】
言葉の定義は重要であり、本就職活動支援ガイドブック１では、各コラムの内、いずれかのコラムに付属されるか、又は、各コラムの間に介在させるか、或いは巻末に付録として掲載される。本実施の形態では、第１コラムの付録として、前記各自治体の就職相談窓口の紹介ページの次のページに位置されている。また、付録として、その次に優良企業人事担当者の記事を載せるのも好ましい。
【００４４】
前記第２コラムに対応する履歴書の書き方では、定形見本３Ｒ、３Ｌを示し、一通りの履歴書の書き方を示した後、新卒、転職、パートアルバイト別等求人ジャンル別の書き方を指導する。加えて、カバーレター、中途採用の場合の注意点、並びに封筒への宛名の書き方まで示しておく。
【００４５】
前記第３コラムに対応する面接の受け方では、面接前の予備知識と、電話のかけ方、会話のテクニックやメモの取り方等を示す。次いで、自分らしさを上手に伝える手法と、代表的な質問への対応方式を示し、最後に次の会社にスムースに入社するための円満退社のし方と、雇用保険、健康保険、厚生年金保険について説明し、次いで住民税等税金について示しておく。
【００４６】
綴じ紙３と裏表紙４の間には、例えば履歴書２０枚及び封筒１０枚を組合せて成る履歴書及び封筒の履歴書セット体５の就職活動支援ガイドブック１への介在方式を図４〜図７に示した。図４は、履歴書セット体５を開閉蓋１０の付いたビニール袋１１に入れ、該ビニール袋１１の上部裏面を裏表紙裏面の上部に糊付けしたものである。ビニール袋１１の開閉蓋１０の開閉により、内部に入れた履歴書３又は封筒を一枚づつ取り出すことができる。
【００４７】
図５は、他の就職活動必須セットＳＥＴ−２の例を示す。本例で示す履歴書セット体５の付録方式は、裏表紙裏面にポケット１２を設け、このポケット１２内に履歴書セット体５を収納するようにしたものである。履歴書セット体５は、バラで入れることも可能であるが、抜け出しを防止するため、図４で示したようなビニール袋１１に入れるようにしても良い。ガイドブック１の内容は、必ずしも図１のものに限定されないが、要するに、就職活動を総合的に案内、支援できる情報であるとする。
【００４８】
図６に示した就職活動必須セットＳＥＴ−３の履歴書セット体５の付録方式は、裏表紙４と綴じ込み紙３との間に透明クリアファイル１３を介在させ、その内部に履歴書セット体５を投入するようにしたものである。クリアファイル１３の例えば上部開口端から、履歴書９又は封筒を一枚づつ取り出すことができる。
【００４９】
図７に示す就職活動必須セットＳＥＴ−４の履歴書セット体５の付録方式は、蓋１４の付いたブックケース１５を設け、この中に就職活動支援ガイドブック１を入れ販売するようにした例である。蓋１４を開けて就職活動支援ガイドブック１及び履歴書セット体５を取り出すことができる。履歴書セット体５は、ビニール袋１１に入れるようにしても良い。ビニール袋１１に入れた履歴書セット５は、図４に示す形で、裏表紙裏に嵌め込んで使用できる。
【００５０】
図８は、ビニール袋１６の中に就職活動支援ガイド冊子１Ａと履歴書セット体５とを同封し、ガイドブック１Ａを付属させた就職必須セットＳＥＴ−５としたものである。本例のガイド冊子１Ａは、履歴書セット体５にガイド冊子１Ａを付録させた形ともとれる。第１コラム６中に含める量を最小限として、例えば１０頁程度の仕上げとし、その厚みを最小限としている。用紙サイズはＡ４でなくともＢ５でも良い。単なる履歴書の書き方を案内するのではなく、総合案内をし、就職活動を総合的に支援するので、ガイドブック１による就職活動必須セットＳＥＴ−１、２、３と同様の効果がある。
【００５１】
図８に示した就職活動必須セットＳＥＴ−５では、冊子１Ａと履歴書セット体５の配置において、いずれが主体であるかは別として、本就職活動必須セットＳＥＴ−５が履歴書セット体５とは異なるものであることの表記が必要である。即ち、両者を透明なビニール袋１６内に入れる場合には、冊子１Ａの表紙を表側に出し、見えるようにしなければならない。
【００５２】
容器をビニール袋１６でなく、これに印刷を施し、コンテンツを表記できる場合には、この限りでなく、両者単に同封させることで足りる。
【００５３】
前記冊子１Ａは、必ずしも一冊にまとめられていなくとも良い。複数用紙に分散されていても合計して、総合的に案内、支援する要素が含まれていれば良い。本考案では、要するに、就職活動を総合的に案内する就職活動ガイド冊子をセット化していることが要件である。
【００５４】
図９は、本考案の就職活動必須セットの有用性を示すフローチャートである。本フローチャートは、本就職活動必須セットを利用するか否かにより、就職活動が如何に異なるかを示している。
【００５５】
ステップ９０１で、本就職活動必須セットを利用する場合、ステップ９０２へ移行する。ステップ９０２では、実際就職したいのか、単なる研究かに応じ、ステップ９０３又は９０４へ移行する。このように、本誌１は、単なる就職研究にも用いることができる。
【００５６】
ステップ９０３では、就職情報の研究をする。即ち、就職活動必須セットには、その就職情報の総合案内が示されているので、それがガイドブック１である場合には、当該地域のハローワーク、求人情報誌、その他求人情報の発生源を知ることができる。インターネットに関しては、ウェブサイトも示されているので、その場でそのウェブサイトの内容を見ることもできる。ステップ９０４では、今一度、実際就職するのか否かを判断することができる。実際就職しない場合であっても、ステップ９０６で時期を待ち、自己の個性に合った就職を研究することができる。しかも、自己の個性に合った就職先を発見した時点で、即ステップ９０７へ移行できる。
【００５７】
ステップ９０７では、目標を定めて行動できる。即ち、就職先を定め、ステップ９０８で適切な履歴書を作成して後、適切に面接し、ステップ９０９で元の会社に対し円満退社し、ステップ９１０で就職できる。
【００５８】
これに対し、本就職活動必須セットを用いない場合には、ステップ９１１で、とにかく行動し、ステップ９１２で一般的な履歴書を書き、ステップ９１３で面接し、運が良ければステップ９１４で就職し、ステップ９１５で保険、税金の処理をする。一般に、ステップ９１５の処理は、ハローワークやその他の機関或いは、友人、知人を頼りに知識を得て、相応の処理を行っている。ステップ９１０では、必要事項をガイドブック又は冊子で説明しているので、これらの処理を含めて、円滑に処理できる。
【００５９】
以上のように、本考案の就職活動必須セットによれば、ステップ９０２〜９０６の就職研究に利用でき、個性に合った就職先を検討できる。
【００６０】
また、ステップ９０７〜９１０への移行により、最も適切な履歴書を作成し、適切に面接を受け、個性に合った就職をすることができる。ステップ９１４とステップ９１０で得られる就職は、質に違いが生じるであろうことが期待できる。
【００６１】
本考案は、上記実施形態に限定されるものではなく、本考案の要旨を逸脱しない範囲で適宜変形することができ、各種態様で実施し得る。
【００６２】
【考案の効果】
以上の通り本考案は、就職活動を総合的に案内、支援する就職活動支援ガイド冊子と、該冊子の案内に従って就職先を定めたときに利用される履歴書並びにそれを入れるための封筒とをセット化したことを特徴とする就職活動必須セットであるので、就職活動を総合的に案内、支援でき、同時に履歴書及び封筒を利用させることができる。
【００６３】
就職活動支援ガイド冊子をガイドブックとし、これに履歴書セット体を付録させる場合には、書店販売ができ、就職活動の総合案内誌とすることができる。
【００６４】
また、就職活動支援ガイド冊子を履歴書セットと併合した場合には、文具として販売することができ、履歴書作りに併せて就職活動を総合案内できる。
【００６５】
さらに、就職活動支援ガイドブックを総合案内の第１コラムと、履歴書の書き方及び面接の受け方の第２、第３コラムを備えた３コラム構成のガイドブックとする場合には、就職活動の総合案内を円滑に行ない、適切な履歴書を書かせて、適切な面接を指導することができ、的確に就職活動を支援できる。
【００６６】
またさらに、地域求人情報で裏付けされた就職情報を主体として、これに履歴書の書き方と、面接の受け方を指導する構成とすれば、地域毎に個性に合った就職先を総合研究させるのにも有効である。
【図面の簡単な説明】
【図１】本考案の一実施形態に係る就職活動必須セットの概要を示す斜視図である。
【図２】履歴書左半分の定形書式を示す平面図である。
【図３】履歴書右半分の定形書式を示す平面図である。
【図４】履歴書及び封筒の付録化方式を示す斜視図である。
【図５】他の付録化方式を示す斜視図である。
【図６】さらに他の付録化方式を示す斜視図である。
【図７】またさらに他の付録化方式を示す斜視図である。
【図８】就職活動支援ガイド冊子と履歴書セット体を併合した実施形態を示す就職活動必須セットの斜視図である。
【図９】本考案の有用性を示すフローチャートである。
【符号の説明】
１　就職活動支援ガイドブック
１Ａ　就職活動支援ガイド冊子
２　表表紙
３　綴じ込み紙
４　裏表紙
５　履歴書及び封筒のセット体
６　就職情報の獲得マニュアルを案内するコラム（第１コラム）
７　履歴書の書き方を案内するコラム（第２コラム）
８　面接の受け方を案内するコラム（第３コラム）
９（９Ｌ、９Ｒ）　履歴書
１０　開閉蓋
１１、１６　ビニール袋
１２　ポケット
１３　クリアファイル
１４　蓋
１５　ブックケース
ＳＥＴ−１、ＳＥＴ−２、ＳＥＴ−３、ＳＥＴ−４、ＳＥＴ−５　就職活動必須セット
【図１】
0003098467.tif 000003
【図２】
0003098467.tif 000004
【図３】
0003098467.tif 000005
【図４】
0003098467.tif 000006
【図５】
0003098467.tif 000007
【図６】
0003098467.tif 000008
【図７】
0003098467.tif 000009
【図８】
0003098467.tif 000010
【図９】
0003098467.tif 000011